(57)【要約】【課題】ＥＭＩの少ないレーザ駆動装置を提供する。【解決手段】記憶媒体に記録された情報を再生するためのレーザ駆動電流を出力する再生電流生成ブロックと記憶媒体に情報を記録するためのレーザ駆動電流を出力する少なくとも１つ以上の記録電流生成ブロックと再生と記録を制御する第１の制御信号により再生時に発振出力電流を出力する第１の高周波重畳ブロックと前記第１の高周波重畳ブロックの発振周波数を変調する第１の変調回路からなることを特徴とするレーザ駆動装置。【選択図】図１
2007220173.tif 000002
【特許請求の範囲】
【請求項１】
記憶媒体に記録された情報を再生するためのレーザ駆動電流を出力する再生電流生成ブロックと記憶媒体に情報を記録するためのレーザ駆動電流を出力する少なくとも１つ以上の記録電流生成ブロックと再生と記録を制御する第１の制御信号により再生時に発振出力電流を出力する第１の高周波重畳ブロックと前記第１の高周波重畳ブロックの発振周波数を変調する第１の変調回路からなることを特徴とするレーザ駆動装置。
【請求項２】
請求項１記載のレーザ駆動装置において前記第１の制御信号により再生時に動作する前記第１の変調回路からなることを特徴とするレーザ駆動装置。
【請求項３】
請求項２記載のレーザ駆動装置において前記第１の高周波重畳ブロックの発振周波数に比べより低い周波数で変調する前記第１の変調回路を持つことを特徴とするレーザ駆動装置。
【請求項４】
請求項３記載のレーザ駆動装置における前記第１の変調回路が発振器からなることを特徴とするレーザ駆動装置。
【請求項５】
請求項４記載のレーザ駆動装置において光ディスクドライブに使用されることを特徴とするレーザ駆動装置。
【発明の詳細な説明】
【技術分野】
【０００１】
本発明は、光ディスクドライブ用レーザ駆動装置とそれを使用したシステムに関するものである。
【背景技術】
【０００２】
図４に従来の光ディスク用レーザ駆動装置の一実施例の回路図を示す。１１は記憶媒体に記録された情報を再生するためのレーザ駆動電流を生成する再生電流生成ブロックであり、１２は記憶媒体に情報を記録するためのレーザ駆動電流１を生成する記録電流１生成ブロックであり、１３は記憶媒体に情報を記録するためのレーザ駆動電流２を生成する記録電流２生成ブロックであり、１４は半導体レーザをマルチモードにするための高周波重畳電流を生成する高周波重畳ブロックであり、これらの出力電流の総和が３０の半導体レーザに印加される。また２１は再生電流設定端子であり、２２は記録電流１の設定端子であり、２３は記録電流１生成ブロックの動作制御端子であり、２４は記録電流２の設定端子であり、２５は記録電流２生成ブロックの動作制御端子である。この例では記録電流生成ブロックは２つであるが、３つ以上の場合も同様である。３０は半導体レーザである。
【０００３】
図５に動作のタイミング図を示す。４１は再生電流を設定するための信号でありこの信号の大きさに対応した再生電流が出力される。４２は記録電流１を設定する信号でありこの信号の大きさに対応した記録電流１が出力される、４３は記録電流１を制御する信号でありこの実施例ではＨレベルの時に記録電流１が出力されＬレベルの時に出力電流１が停止するものとする。４４は再生と記録の切換えを制御する信号でありＬレベルの時に再生のモードになり、Ｈレベルの時に記録モードとなる。４５は出力電流を示してある。この例では記録電流２については省略してあるが、本質的には同様である。
【０００４】
図４と図５をもとに動作を説明する。再生時は再生電流設定端子で決定される再生電流が供給されて半導体レーザが発光する。再生時に光ディスクメディアからの反射光が半導体レーザまで戻ってきてノイズを発生するという課題がある。この課題を解決するために高周波重畳ブロックから再生電流に一般的に２００ＭＨｚ以上の高周波電流を重畳する方法が取られる。この高周波電流により半導体レーザがマルチモードになり光ディスクメディアからの反射光によるノイズを低減することが出来る。この例では再生時には高周波電流が印加されるように示してあるが、別の制御信号で高周波電流を印加する構成もあるが、本質的には同様である。記録時は高周波重畳電流を停止させ、再生電流に記録電流を加算して記録電流を半導体レーザに供給する。一般には記録電流１制御信号はパルス的に印加されるため記録電流はパルス的に加算されることになり光ディスクメディア上の記録マークの形状を均一なものになるように制御している。
【０００５】
なお、この出願の発明に関連する先行技術文献情報としては、例えば、特許文献１、特許文献２が知られている。
【特許文献１】特開平９−３１８９９６号公報
【特許文献２】特開２００１−２３２１６号公報
【発明の開示】
【発明が解決しようとする課題】
【０００６】
しかしながら上記従来の構成では以下に説明するような問題が発生する。図６に示すように高周波重畳電流の周波数は一般的に２００ＭＨｚ以上であり周波数スペクトラム幅は狭く、電流振幅は１００ｍＡに達する場合がある。そのためＥｌｅｃｔｒｏ−Ｍａｇｎｅｔｉｃ Ｉｎｔｅｒｆｅｒｅｎｃｅ（以下ＥＭＩと省略して記載）と呼ばれる電磁波妨害が発生するという課題がある。このＥＭＩにより、周辺の他の装置にノイズを与えたり、あるいは誤動作のもとになる。
【課題を解決するための手段】
【０００７】
本発明は上記従来の課題を解決するもので低周波発振器により高周波重畳ブロックの発振周波数を変調し周波数スペクトル幅を広くすることでＥＭＩが少なくかつ、再生時のノイズの低いレーザ駆動装置の実現が可能となる。
【発明の効果】
【０００８】
以上に説明したように、本発明によればＥＭＩの少ないレーザ駆動装置を提供するものである。
【発明を実施するための最良の形態】
【０００９】
以下、図面を参照して本発明の実施の形態を詳細に説明する。
【００１０】
図１は、本発明の第１の実施の形態のレーザ駆動装置の一例の基本構成を示す回路図である。１１は記憶媒体に記録された情報を再生するためのレーザ駆動電流を生成する再生電流生成ブロックであり、１２は記憶媒体に情報を記録するためのレーザ駆動電流１を生成する記録電流１生成ブロックであり、１３は記憶媒体に情報を記録するためのレーザ駆動電流２を生成する記録電流２生成ブロックであり、１４は半導体レーザをマルチモードにするための高周波重畳電流を生成する高周波重畳ブロックであり、１５は高周波重畳ブロックの発振周波数を変調するための低周波発振器である。また２１は再生電流設定端子であり、２２は記録電流１の設定端子であり、２３は記録電流１生成ブロックの動作制御端子であり、２４は記録電流２の設定端子であり、２５は記録電流２生成ブロックの動作制御端子である。この実施の形態では記録電流生成ブロックは２つであるが、３つ以上の場合も同様である。３０は半導体レーザである。
【００１１】
図２に動作のタイミング図を示す。４１は再生電流を設定するための信号でありこの信号の大きさに対応した再生電流が出力される。４２は記録電流１を設定する信号でありこの信号の大きさに対応した記録電流１が出力される、４３は記録電流１を制御する信号でありこの実施の形態ではＨレベルの時に記録電流１が出力されＬレベルの時に出力電流１が停止するものとする。４４は再生と記録の切換えを制御する信号でありＬレベルの時に再生のモードになり、Ｈレベルの時に記録モードとなる。４６は変調回路の動作状態を示しており、再生／記録制御信号Ｌレベルの時、変調回路が動作し、Ｈレベルの時、変調回路が停止していることを示している。４５は出力電流を示してある。この実施の形態では記録電流２については省略してあるが、本質的には同様である。
【００１２】
図１と図２をもとに動作を説明する。再生時には再生／記録制御端子により記録電流１ブロックは停止している。再生電流設定端子で決定される再生電流が供給されて半導体レーザが発光する。従来例と同様に再生時の光ディスクメディアからの反射光が半導体レーザまで戻ってきてノイズが発生するという課題は高周波重畳ブロックから再生電流に一般的に２００ＭＨｚ以上の高周波電流を重畳することで解決する。この高周波電流により半導体レーザがマルチモードになり光ディスクメディアからの反射光によるノイズを低減することが出来る。この実施の形態でも再生時には高周波電流が印加されるように示してあるが、別の制御信号で高周波電流を印加する構成もあるが、本質的には同様である。また再生時に再生／記録制御信号はＬレベルであるので低周波発振器が動作状態となり高周波重畳ブロックの発振周波数を変調することになる。図３にこの作用により発振周波数スペクトル幅が広くなり、発振のパワーは一定であるので最大ピークパワーは減少することを示している。この作用によりＥＭＩが低減されたレーザ駆動装置が可能となる。
【００１３】
記録時には高周波重畳電流を停止させ、再生／記録制御端子により記録電流１ブロックが動作し再生電流に記録電流１を加算して記録電流を半導体レーザに供給する。従来例と同様に一般には記録電流１制御信号はパルス的に印加されるため記録電流はパルス的に加算されることになり光ディスクメディア上の記録マークの形状を均一なものになるように制御している。
【００１４】
本発明のレーザ駆動装置は再生時において高周波重畳ブロックの発振周波数を低周波発振器により変調させて発振スペクトラム幅を広くし発振のピークパワーを下げることでＥＭＩが少ないレーザ駆動を可能とする。
【産業上の利用可能性】
【００１５】
以上に説明したように、本発明によればＥＭＩの少ないレーザ駆動装置を提供するものである。
【図面の簡単な説明】
【００１６】
【図１】本発明の実施の形態におけるレーザ駆動回路の基本構成を示す回路図
【図２】本発明の実施の形態におけるレーザ駆動回路のタイミング図
【図３】本発明の実施の形態における発振スペクトラムの図
【図４】従来のレーザ駆動装置の一例の基本構成を示す回路図
【図５】従来の実施例におけるレーザ駆動回路のタイミング図
【図６】従来の実施例における発振スペクトラムの図
【符号の説明】
【００１７】
１１  再生電流生成ブロック
１２  記録電流生成１ブロック
１３  記録電流生成２ブロック
１４  高周波重畳ブロック
１５  低周波発振ブロック
２１  再生電流設定端子
２２  記録電流１設定端子
２３  記録電流１制御端子
２４  記録電流２設定端子
２５  記録電流２制御端子
２６  再生／記録制御端子
３０  半導体レーザ
３５  従来の実施例における発振スペクトラム
３６  本発明の実施の形態における発振スペクトラム
４１  再生電流設定信号
４２  設定電流１設定信号
４３  設定電流１制御信号
４４  再生／記録制御信号
４５  出力電流
４６  変調回路状態
【図１】
2007220173.tif 000003
【図２】
2007220173.tif 000004
【図３】
2007220173.tif 000005
【図４】
2007220173.tif 000006
【図５】
2007220173.tif 000007
【図６】
2007220173.tif 000008